(57)【要約】【課題】  着用形態が着用者の体型に沿った立体的なものとなり、着用感に優れた使い捨て吸収性物品を提供すること。【解決手段】  一対のレッグ切り欠き縁ＬHを有し、該レッグ切り欠き縁ＬH近傍に複数の弾性部材６１ａ，６１ｂが伸張状態で配されている使い捨て吸収性物品１であって、複数の弾性部材６１ａ，６１ｂのうち、レッグ切り欠き縁ＬHに近いものが、遠いものと比べて収縮力が強くなるように配されている。レッグ切り欠き縁ＬH近傍の領域のうち、該領域を着用者の大腿付根部から下腹部及び臀部に沿わせようとするときに、たるみの生じる部分において、弾性部材６１ａ，６１ｂ相互の間隔が、それ以外の部分よりも広くなるように該弾性部材６１ａ，６１ｂが配されている。【選択図】    図１
2006043125.tif 000002
【特許請求の範囲】
【請求項１】
一対のレッグ切り欠き縁を有し、該レッグ切り欠き縁近傍に複数の弾性部材が伸張状態で配されている使い捨て吸収性物品であって、
複数の前記弾性部材のうち、前記レッグ切り欠き縁に近いものは遠いものと比べて収縮力が強くなるように配され、
前記レッグ切り欠き縁近傍の領域のうち、該領域を着用者の大腿付根部から下腹部及び臀部に沿わせようとするときに、たるみの生じる部分において、前記弾性部材相互の間隔が、それ以外の部分よりも広くなるように該弾性部材が配されている使い捨て吸収性物品。
【請求項２】
液透過性の表面シート、液不透過性又は撥水性の裏面シート及び両シート間に介在配置された液保持性の吸収性コアを備えた吸収体本体と、該吸収体本体における裏面シート側に配置され且つ吸収性物品の輪郭を画成する外包材とを有し、該外包材に前記弾性部材が配されている請求項１記載の使い捨て吸収性物品。
【請求項３】
液透過性の表面シート及び液不透過性又は撥水性の裏面シートを備え、表面シート及び／又は裏面シートに前記弾性部材が配されている請求項１記載の使い捨て吸収性物品。
【請求項４】
長手方向前後端部の左右両側部どうしが互いに接合されているパンツ型のものである請求項１ないし３の何れかに記載の使い捨て吸収性物品。
【請求項５】
長手方向の一端部の左右両側部にテープファスナが取り付けられている展開型のものである請求項１ないし３の何れかに記載の使い捨て吸収性物品。
【請求項６】
長手方向の一端部の左右両側部からそれぞれ側方に延出し且つ着用者の身体の前側で互いに係止可能な一対の固定用ベルトが取り付けられている請求項１ないし３の何れかに記載の使い捨て吸収性物品。
【発明の詳細な説明】
【技術分野】
【０００１】
本発明は、本発明は、着用形態が立体的なものとなる使い捨ておむつなどの使い捨て吸収性物品に関する。
【背景技術】
【０００２】
背側のウエスト部に、幅方向へ弾性的に伸縮可能な一対の伸縮領域が形成された使い捨ておむつが知られている（特許文献１参照）。伸縮領域は褶襞部から構成されている。このおむつにおいては、テープファスナを摘持して背側のウエスト部を幅方向外方へ拡開すると、褶襞部が伸長してレッグ弾性部材が湾曲する。特許文献１によれば、レッグ弾性部材が湾曲することによって、着用者の大腿付根部がレッグ弾性部材で環状に取り囲まれるようになるとされている。
【０００３】
しかし、おむつの構成部材は平面的な材料であるのに対して着用者の体型は立体的であるから、平面的な材料からなるおむつを立体的な体型に沿わせようとすると、必然的にたるみが生じる。従って、着用者の大腿付根部がレッグ弾性部材で環状に取り囲まれたとしても、着用者の身体とおむつとは完全にフィットせず、着用中におむつの位置ずれが起きたり、更に位置ずれに起因して漏れが生じることがある。
【０００４】
【特許文献１】特開２００１−８９７０号公報
【発明の開示】
【発明が解決しようとする課題】
【０００５】
従って本発明の目的は、前述した従来技術が有する種々の欠点を解消し得る使い捨ておむつなどの使い捨て吸収性物品を提供することにある。
【課題を解決するための手段】
【０００６】
本発明は、一対のレッグ切り欠き縁を有し、該レッグ切り欠き縁近傍に複数の弾性部材が伸張状態で配されている使い捨て吸収性物品であって、
複数の前記弾性部材のうち、前記レッグ切り欠き縁に近いものは遠いものと比べて収縮力が強くなるように配され、
前記レッグ切り欠き縁近傍の領域のうち、該領域を着用者の大腿部に沿わせようとするときに、たるみの生じる部分において、前記弾性部材相互の間隔が広くなるように該弾性部材が配されている使い捨て吸収性物品を提供することにより前記目的を達成したものである。
【発明の効果】
【０００７】
本発明の使い捨て吸収性物品は、着用形態が着用者の体型、特に大腿付根部から下腹部および臀部に沿った立体的なものとなるので、着用中に吸収性物品が部分的に緩すぎたり、逆にきつすぎたりすることがなく、着用感に優れたものとなる。また着用者の体型に対して、吸収性物品の構成部材の過不足な部分がないので、着用中に吸収性物品が位置ずれを起こしにくい。それに起因して漏れも起こりにくい。更に、レッグ切り欠き縁近傍に配された弾性部材による身体への押圧がレッグ部全体で均一に作用するので、部分的に締め付けが強い部分が発生しづらい。
【発明を実施するための最良の形態】
【０００８】
以下本発明を、その好ましい実施形態に基づき図面を参照しながら説明する。図１には、本発明の使い捨て吸収性物品の一実施形態の斜視図が示されている。図２には、図１に示すおむつを組み立てる前の状態の分解斜視図が示されている。図３には、図２におけるおむつの展開状態の平面図が示されている。
【０００９】
図１ないし図３に示すように、本実施形態のパンツ型使い捨ておむつ１は、液透過性の表面シート２、液不透過性又は撥水性の裏面シート３及び両シート２、３間に介在配置された液保持性の吸収性コア４を有する実質的に縦長の吸収体本体１０と、該吸収体本体１０の裏面シート３側に配置された外包材１１とを備えている。
【００１０】
外包材１１は、その両側縁が、長手方向中央部において内方に括れた一対のレッグ切り欠き縁ＬHを有しており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁Ａ１，Ａ２と背側部Ｂの両側縁Ｂ１，Ｂ２とが互いに接合されて、おむつ１にはウエスト開口部５及び一対のレッグ開口部６が形成される。この接合によって、おむつ１の左右両側縁には一対のサイドシール部Ｓが形成される。この接合には例えばヒートシール、高周波シール、超音波シール等が用いられる。ウエスト開口部５はおむつ１の着用時に着用者の腰部に位置する部分であり、レッグ開口部６は着用者の大腿付根部に位置する部分である。
【００１１】
表面シート２、裏面シート３及び吸収性コア４はそれぞれ矩形状であり、一体化されて縦長の吸収体本体１０を形成している。表面シート２及び裏面シート３としては、従来この種のおむつに用いられているものと同様のものを用いることができる。また吸収性コア４は、高吸収性ポリマーの粒子及び繊維材料から構成されており、ティッシュペーパ（図示せず）によって被覆されている。
【００１２】
図２に示すように、吸収体本体１０の長手方向の左右両側には、液抵抗性ないし撥水性で且つ通気性の素材から構成された側方カフス８，８が形成されている。各側方カフス８は、吸収体本体１０の長手方向に沿って固定端部及び自由端部を有している。固定端部は、表面シート２に固定されている。更に、固定端部及び自由端部は、吸収体本体１０の長手方向両端部（図３における上下方向の端部）において表面シート２に固定されている。一方、自由端部の近傍には、側方カフス弾性部材８１が伸張状態で配されている。これにより、図１のように組み立てられたおむつ１を着用させる際には、弾性部材８１が縮むことにより側方カフス８が起立して、吸収体本体１０の幅方向への液の流出が阻止される。
【００１３】
外包材１１は、少なくとも二枚の不織布、即ち外層不織布１２と該外層不織布１２の内面側に配された内層不織布１３とを有している。外層不織布１２はおむつ１の外面をなし、内層不織布１３は外層不織布１２の内面側に、ホットメルト粘着剤等の接着剤によって接合されている。
【００１４】
外包材１１における前後端部には、前後端縁に沿って、複数のウエスト部弾性部材５１，５１がその幅方向に亘り配されている。各ウエスト部弾性部材５１，５１は、外層不織布１２と内層不織布１３とによって伸張状態で挟持固定されている。各ウエスト部弾性部材５１，５１は、おむつ１の腹側部Ａの両側縁Ａ１，Ａ２と背側部Ｂの両側縁Ｂ１，Ｂ２とを互いに接合させたときに、接合部分において両弾性部材５１，５１の端部同士が重なるように配されているか、又は接合部分の直近の位置に弾性部材５１，５１の端部が位置するように配置されている。これによって、図１に示すように、おむつ１のウエスト開口部５の付近には実質的に連続したリング状のウエストギャザーが形成される。
【００１５】
外包材１１は、吸収体本体１０の前後端縁から外方に延出しており、延出した部分が吸収体本体１０側に折り返されている。折り返された外包材１１は、吸収体本体１０の前後端部上（即ち吸収体本体１０の前後端部における表面シート２上）を被覆している。なお、この構成に代えて、外包材１１における外層不織布１２のみを、外層不織布１２と内層不織布１３とによって各ウエスト部弾性部材５１，５１を挟持固定する部位よりも更に延出させ、延出した外層不織布１２を吸収体本体１０側に折り返させることもできる。
【００１６】
おむつ１においては、おむつ１の腹側部Ａ及び背側部Ｂそれぞれにおけるウエスト開口部５とレッグ開口部６との間に、おむつ１の幅方向に延びる弾性部材７１ａが多数配されている。弾性部材７１ａが配されることによって、ウエスト開口部５とレッグ開口部６との間にはおむつ１の幅方向に延在する胴回り領域７が形成される。弾性部材７１ａは外層不織布１２と内層不織布１３とによって伸張状態で挟持固定されている。弾性部材７１ａは、おむつ１の腹側部Ａの両側縁Ａ１，Ａ２と背側部Ｂの両側縁Ｂ１，Ｂ２とを互いに接合させたときに、接合部分において腹側部Ａの弾性部材７１ａと背側部Ｂの弾性部材７１ａとの端部同士が重なるように配されているか、又は接合部分の直近の位置に弾性部材７１ａ，７１ａの端部が位置するように配置されている。これによって、図１に示すように、おむつ１の腹側部Ａ及び背側部（図示せず）における胴回り領域７にはギャザーがそれぞれ形成される。
【００１７】
弾性部材７１ａは、おむつ１の左右両側縁（即ち外包材１１の左右両側縁）と吸収性コア４の左右両側縁との間に亘って延在している。そして、吸収性コア４が存在している部位には、弾性部材７１ａは実質的に存在していない。その結果、胴回り領域７に形成されるギャザーは、おむつ１の左右両側縁と吸収性コア４の左右両側縁との間に位置しており、吸収性コア４が存在する位置にはギャザーが実質的に形成されていない。これにより、装着状態においても吸収性コア４が存在している部位は、弾性部材７１ａの収縮により外包材１１が縮むことがなく、おむつ１は外観的にも、また吸収性能的にも良好なものとなる。
【００１８】
本実施形態のおむつ１における各弾性部材（後述するレッグ部弾性部材を含む）としてはそれぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００１９】
而して本実施形態のおむつ１においては、股下部Ｃの外包材１１における左右両側のレッグ切り欠き縁ＬHの近傍の領域であるレッグ部６に、複数のレッグ部弾性部材６１ａ，６１ｂが並列状態で配されている。レッグ部弾性部材６１ａは、おむつ１の横中心線Ｌ２に対して腹側部Ａ寄りに配されている。一方、レッグ部弾性部材６１ｂは、おむつ１の横中心線Ｌ２に対して背側部Ｂ寄りに配されている。各レッグ部弾性部材６１ａ，６１ｂは、それぞれ３本ずつ配されている。各レッグ部弾性部材６１ａ，６１ｂは、外層不織布１２と内層不織布１３との間に配されており、所定の接合手段によって、両不織布１２、１３に伸張状態で固定されている。各レッグ部弾性部材６１ａ，６１ｂは、その一端どうしが股下部Ｃにおいて重なり合っている。一方、他端は腹側部Ａ及び背側部Ｂの各側縁の下端部の位置において終端している。各レッグ部弾性部材６１ａ，６１ｂは、おむつ１の腹側部Ａの両側縁Ａ１，Ａ２と背側部Ｂの両側縁Ｂ１，Ｂ２とを互いに接合させたときに、接合部分において両弾性部材６１ａ，６１ｂの端部同士が重なるように配されているか、又は接合部分の直近の位置に弾性部材６１ａ，６１ｂの端部が位置するように配置されている。これによって、図１に示すように、おむつ１のレッグ開口部６、６の付近には実質的に連続したリング状のレッグギャザーが形成される。
【００２０】
レッグ部６を構成する部材である外包材１１は不織布からなる平面的な二次元の部材であるから、外包材１１によって三次元の形状である着用者の大腿付根部から下腹部及び臀部を完全に覆おうとしても必然的にたるみが生じる。レッグ部６に弾性部材を配することでたるみを防止することができるが、レッグ部６の湾曲部に沿って均一に弾性部材を配した場合、弾性部材の収縮により形成されるレッグ開口部付近の形状は着用者の身体の立体形状に沿わないものであり、弾性部材の締め付けが部分的に緩すぎたり、逆に部分的にきつすぎたりする。その結果、着用感が低下し、そればかりでなく、レッグ部６の位置ずれが起こり、ひいてはレッグ部６からの漏れが生じやすくなる。このような不都合を解消するために、本実施形態のおむつ１においては、レッグ部６に配されているレッグ部弾性部材６１ａ，６１ｂの配し方を特徴的なものとしている。具体的には、レッグ部弾性部材６１ａ，６１ｂは、レッグ部６の構成部材である平面的な外包材１１を大腿付根部から下腹部及び臀部に沿わせようとするときに、並べて配された３本のレッグ弾性部材が、レッグ部６の切り欠き縁ＬHに近いものは、遠いものと比べて収縮力が強くなるように配されている。更に、該外包材１１におけるたるみの生じる部分において、弾性部材相互の間隔が広くなるように配されている。「たるみの生じる部分」とは、切り欠き縁ＬH近傍の領域のうち、該領域を着用者の大腿付根部から下腹部及び臀部に沿わせようとするときにたるみの生じる部分をいう。このようにレッグ部弾性部材６１ａ，６１ｂを配することで、外包材１１におけるたるみの生じる部分が収縮し、あたかもその部分にダーツが形成されたかのような状態になる。その結果、レッグ開口部６はおむつ１の肌対向面側に立体的に湾曲した形状となる。
【００２１】
この立体的な湾曲形状は、従来のおむつにおけるレッグ部弾性部材の収縮によって形成されるレッグ開口部の湾曲形状とは全く相違する。具体的には、従来のおむつにおけるレッグ部弾性部材の収縮によって形成されるレッグ開口部の湾曲形状は、レッグ部６の湾曲部に沿って均一に弾性部材を配して収縮させることにより形成させたものであり、着用者の身体の立体形状に沿わないもので、その結果そのようなおむつを着用すると部分的に緩すぎたり、逆に部分的にきつすぎたりする。これに対して、上述のようにレッグ部弾性部材を配することで形成される立体的な湾曲形状は、着用者の身体、特に大腿付根部から下腹部及び臀部の立体形状にぴったりと沿うものである。つまり、おむつ１が着用されると、この立体的な湾曲形状は、同様に立体的である着用者の大腿付根部から下腹部及び臀部にぴったりと沿うようになる。換言すれば、部分的に緩すぎたり、逆にきつすぎたりすることがない。その結果、着用感が極めて良好になる。レッグ開口部付近が着用者の体型に沿わない場合には、緩い部分の余った素材が、きつくて素材が足りない部分へ移動しようとするので、レッグ部の位置ずれが起こりやすいが、本実施形態のおむつ１によれば、そのような素材の過不足状態がほとんど生じないので、レッグ部におけるおむつ１の位置ずれが起こりにくい。その結果として、レッグ部からの漏れが起こりにくくなる。その上、レッグ部弾性部材６１ａ，６１ｂによる大腿付根部への押圧がレッグ部全体で均一に作用するので、部分的に締め付けが強い部分が発生しづらい。つまり、レッグ部は着用者の大腿付根部に（線又は点でなく）面で当接し、しかもその面圧は低いものとなる。
【００２２】
本発明者らの検討の結果、本実施形態のおむつ１のレッグ部６においては、図３中、符号９ａ〜９ｄで示される４カ所の部分が、外包材１１のたるみが生じる程度が大きいことが確認されている。これらの部分のうち、符号９ａ，９ｂで示される部分は、横中心線Ｌ２よりも腹側部Ａ寄りの位置である、符号９ｃ，９ｄで示される部分は、横中心線Ｌ２よりも背側部Ｂ寄りの位置である。符号９ａ，９ｂで示される部分は、横中心線Ｌ２と腹側部Ａの側縁の下端部との中間より腹側部Ａの側縁の下端部寄りに位置している。一方、符号９ｃ，９ｄで示される部分は、横中心線Ｌ２と背側部Ｂの側縁の下端部とのほぼ中間に位置している。本実施形態のおむつ１においては、符号９ａ〜９ｄで示される領域において、レッグ部弾性部材６１ａ，６１ｂを、該弾性部材相互の間隔が、それ以外の領域よりも広くなるように配している。
【００２３】
更に本実施形態では、並べて配された３本のレッグ部弾性部材６１ａ，６１ｂのうち、レッグ部６の切り欠き縁ＬHに近いものは、遠いものと比べて収縮力が強くなるように配されている。レッグ部弾性部材６１ａ，６１ｂの収縮力の強さは、例えば弾性部材６１ａ，６１ｂを外包材１１に配するときの伸張率を調整することによりコントロールできる。具体的には、収縮力を強くしたい、レッグ切り欠き縁ＬHに近いものを、切り欠き縁ＬHに遠いものに比較して高伸張率の状態にして、弾性部材６１ａ，６１ｂを外包材１１に接合固定すればよい。この手段は、高伸張率で固定するほど収縮力が高くなることを利用している。
【００２４】
別法として、弾性部材６１ａ，６１ｂの径（糸ゴムの場合）や幅（平ゴムの場合）を調整して引張応力を異ならせる方法を用いることもできる。具体的には、例えば弾性部材６１ａ，６１ｂが糸ゴムからなる場合には、収縮力を強くしたい、レッグ切り欠き縁ＬHに近いものの径を、切り欠き縁ＬHに遠いものの径よりも大きくすればよい。弾性部材６１ａ，６１ｂが平ゴムからなる場合には、収縮力を強くしたい、レッグ切り欠き縁ＬHに近いものの幅を、切り欠き縁ＬHに遠いものの幅よりも大きくすればよい。この手段は弾性部材６１ａ，６１ｂの引張応力が大きいほど収縮力が高くなることを利用している。
【００２５】
以上、本発明をその好ましい実施形態に基づき説明したが、本発明は前記実施形態に制限されるものではない。例えば前記実施形態においては、レッグ部弾性部材６１ａ，６１ｂは３本ずつ並べて配されていたが、２本でもよく、４本以上でもよい。
【００２６】
また、レッグ部弾性部材６１ａ，６１ｂの間隔を広げて配置する領域の形成位置や数は、着用状態でのレッグ部の形態が着用者の大腿付根部から下腹部及び臀部の立体形状に沿う限りにおいて制限はない。
【００２７】
また前記実施形態においては、外包材１１にレッグ部弾性部材６１ａ，６１ｂが配されていたが、これに代えて、液透過性の表面シート及び液不透過性又は撥水性の裏面シートを備え、表面シート及び／又は裏面シートがおむつの輪郭を画成している使い捨ておむつにおいて、表面シート及び／又は裏面シートにレッグ部弾性部材を配してもよい。
【００２８】
また、前記実施形態のおむつはパンツ型のものであったが、本発明は他のタイプのおむつにも同様に適用することができる。具体的には、長手方向の一端部の左右両側部にテープファスナが取り付けられている展開型のおむつや、長手方向の一端部の左右両側部からそれぞれ側方に延出し且つ着用者の身体の前側で互いに係止可能な一対の固定用ベルトが取り付けられているタイプのおむつにも同様に適用することができる。
【図面の簡単な説明】
【００２９】
【図１】本発明の一実施形態を示す斜視図である。
【図２】図１に示すおむつを組み立てる前の状態を示す分解斜視図である。
【図３】図２における外包材の展開状態を示す平面図である。
【符号の説明】
【００３０】
１  パンツ型使い捨ておむつ
２  表面シート
３  裏面シート
４  吸収性コア
５  ウエスト開口部
６  レッグ開口部
【図１】
2006043125.tif 000003
【図２】
2006043125.tif 000004
【図３】
2006043125.tif 000005